(57)【要約】【課題】追い焚き熱交換器２４の洗浄に使用された水を高温の状態で浴槽２へ放出させることなく、追い焚き熱交換器２４の洗浄を行うことができる給湯機を提供することを目的とする。【解決手段】浴槽水を貯蔵タンク１内に配置される追い焚き熱交換器２４によって熱交換させて浴槽に戻す追い焚き回路２Ｐと、清水を浴槽２に供給する清水回路とを備え、清水回路を流れる清水を追い焚き熱交換器２４へ向けて供給して追い焚き熱交換器２４の洗浄を行う給湯機であって、追い焚き熱交換器２４を出た水に、この水よりも低温の水を混合可能に構成される。また、追い焚き回路２Ｐは、追い焚き熱交換器２４の上流側で、追い焚き熱交換器２４を通る第一の経路と追い焚き熱交換器をバイパスする第二の経路とに分岐し且つ追い焚き熱交換器２４の下流側で合流するように設けられ、各経路を流れる流量比率を調節可能に構成される。【選択図】  図５
2010190478.tif 000002
【特許請求の範囲】
【請求項１】
浴槽から取出した浴槽水を貯蔵タンク内に配置される追い焚き熱交換器によって高温の熱媒体と熱交換させて浴槽に戻す追い焚き回路と、清水を浴槽に供給する清水回路とを備え、
前記追い焚き回路と清水回路とを接続して、清水回路を流れる清水を追い焚き熱交換器へ向けて供給して追い焚き熱交換器の洗浄を行うように構成される給湯機であって、
前記追い焚き熱交換器を出た水に、この水よりも低温の水を混合可能に構成されることを特徴とする給湯機。
【請求項２】
前記追い焚き回路は、前記追い焚き熱交換器の上流側で、前記追い焚き熱交換器を通る第一の経路と追い焚き熱交換器をバイパスする第二の経路とに分岐し且つ前記追い焚き熱交換器の下流側で合流するように設けられ、前記各経路を流れる流量比率を調節可能に構成されることを特徴とする請求項１に記載の給湯機。
【請求項３】
前記追い焚き回路は、前記追い焚き熱交換器を出た水の温度に応じて、各経路を流れる流量比率が調節されることを特徴とする請求項１又は２に記載の給湯機。
【請求項４】
前記追い焚き熱交換器に水を導入するためのポンプを備え、
前記清水回路は、前記追い焚き熱交換器及びポンプより上流側において追い焚き回路と接続され、
前記ポンプは、追い焚き熱交換器の洗浄の際に、追い焚き回路を流れる清水を追い焚き熱交換器に導入するように駆動されることを特徴とする請求項１から３のいずれか一項に記載の給湯機。
【請求項５】
前記清水回路は、追い焚き回路に合流するように接続され、
前記追い焚き回路に導入された清水は、清水回路と追い焚き回路との接続部より下流側へ向かう経路と前記接続部より上流側へ向かう経路とを経て浴槽に流れ込み、追い焚き回路を洗浄することを特徴とする請求項１から４のいずれか一項に記載の給湯機。
【請求項６】
前記清水回路は、給水源から供給される清水を追い焚き熱交換器へ向けて供給するように構成されることを特徴とする請求項１から５のいずれか一項に記載の給湯機。
【請求項７】
前記清水回路は、貯蔵タンクに貯蔵される清水を追い焚き熱交換器へ向けて供給するように構成されることを特徴とする請求項１から５のいずれか一項に記載の給湯機。
【発明の詳細な説明】
【技術分野】
【０００１】
本発明は、給湯機に関し、特に貯蔵タンクを有する電気給湯機に関する。
【背景技術】
【０００２】
従来、浴槽から取出した浴槽水を貯蔵タンク内に配置される追い焚き熱交換器によって高温の熱媒体と熱交換させて浴槽に戻す追い焚き回路と、清水を浴槽に供給する清水回路とを備え、前記追い焚き回路と清水回路とを接続して、清水回路を流れる清水を追い焚き熱交換器へ向けて供給して追い焚き熱交換器の洗浄を行うように構成される給湯機がある（例えば、特許文献１）。
【０００３】
この給湯機によれば、清水を追い焚き熱交換器へ向けて供給して洗浄することにより、追い焚き熱交換器をクリーンな状態とすることができる。そして、追い焚き熱交換器を出た洗浄後の水は、そのまま浴槽へ放出される。
【先行技術文献】
【特許文献】
【０００４】
【特許文献１】特開２００３−１０６６４３号公報
【発明の概要】
【発明が解決しようとする課題】
【０００５】
しかしながら、貯蔵タンクには、高温（例えば、９０℃）の熱媒体（即ち、温水）が貯蔵されているため、前記追い焚き熱交換器へ向けて供給された清水は、熱交換によって高温に加熱されることとなる。従って、追い焚き熱交換器を出た高温の水を浴槽へ流すと、例えば、浴槽を傷めてしまうといった問題がある。
【０００６】
そこで、本発明は、追い焚き熱交換器の洗浄に使用された水を高温の状態で浴槽へ放出させることなく、追い焚き熱交換器の洗浄を行うことができる給湯機を提供することを目的とする。
【課題を解決するための手段】
【０００７】
本発明に係る給湯機は、浴槽から取出した浴槽水を貯蔵タンク内に配置される追い焚き熱交換器によって高温の熱媒体と熱交換させて浴槽に戻す追い焚き回路と、清水を浴槽に供給する清水回路とを備え、前記追い焚き回路と清水回路とを接続して、清水回路を流れる清水を追い焚き熱交換器へ向けて供給して追い焚き熱交換器の洗浄を行うように構成される給湯機であって、前記追い焚き熱交換器を出た水に、この水よりも低温の水を混合可能に構成されることを特徴とする。
【０００８】
上記構成からなる給湯機によれば、追い焚き熱交換器の洗浄に使用された水が高温となっていても、低温の水を混合することにより温度低下させることができる。
【０００９】
また、前記追い焚き回路は、前記追い焚き熱交換器の上流側で、前記追い焚き熱交換器を通る第一の経路と追い焚き熱交換器をバイパスする第二の経路とに分岐し且つ前記追い焚き熱交換器の下流側で合流するように設けられ、前記各経路を流れる流量比率を調節可能に構成されることが好ましい。
【００１０】
このようにすれば、各経路を流れる流量比率を調節することにより、合流後の水の温度が高温にならないように調節することができる。
【００１１】
また、前記追い焚き回路は、前記追い焚き熱交換器を出た水の温度に応じて、各経路を流れる流量比率が調節される構成が好ましい。
【００１２】
このようにすれば、合流後の水（即ち、浴槽に戻される）の温度が高温にならないように調節することができる。
【００１３】
また、前記追い焚き熱交換器に水を導入するためのポンプを備え、前記清水回路は、前記追い焚き熱交換器及びポンプより上流側において追い焚き回路と接続され、前記ポンプは、追い焚き熱交換器の洗浄の際に、追い焚き回路を流れる清水を追い焚き熱交換器に導入するように駆動される構成が好ましい。
【００１４】
このようにすれば、追い焚き熱交換器の洗浄の際に、清水を追い焚き熱交換器に効率的に導入することができる。
【００１５】
また、前記清水回路は、追い焚き回路に合流するように接続され、前記追い焚き回路に導入された清水は、清水回路と追い焚き回路との接続部より下流側へ向かう経路と前記接続部より上流側へ向かう経路とを経て浴槽に流れ込み、追い焚き回路を洗浄する構成が好ましい。
【００１６】
このようにすれば、追い焚き回路全体を洗浄することができる。
【００１７】
また、前記清水回路は、給水源から供給される清水を追い焚き熱交換器へ向けて供給するように構成されるものであってもよい。
【００１８】
また、前記清水回路は、貯蔵タンクに貯蔵される清水を追い焚き熱交換器へ向けて供給するように構成されるものであってもよい。
【発明の効果】
【００１９】
本発明によれば、追い焚き熱交換器の洗浄に使用された水を高温の状態で浴槽へ放出させることなく、追い焚き熱交換器の洗浄を行うことができる給湯機を実現できる。
【図面の簡単な説明】
【００２０】
【図１】本発明の第１実施形態に係わる給湯機の例を示す構成図である。
【図２】第１実施形態に係わる給湯機の給湯運転を太線で示す回路図である。
【図３】第１実施形態に係わる給湯機の湯張りの回路を太線で示す回路図である。
【図４】第１実施形態に係わる給湯機の追い焚きの回路を太線で示す回路図である。
【図５】第１実施形態に係わる給湯機の洗浄動作を太線で示す回路図である。
【図６】第１実施形態に係わる給湯機の自動洗浄制御を示すフロー図である。
【図７】本発明の第２実施形態に係わる給湯機の例を湯張り時の回路を太線で示した構成図である。
【図８】第２実施形態に係わる給湯機の洗浄動作を太線で示す回路図である。
【図９】本発明の第３実施形態に係わる給湯機の例を示す構成図である。
【発明を実施するための形態】
【００２１】
以下、本発明の実施形態について添付図面を参照して説明する。
【００２２】
≪第１実施形態≫
図１は、本発明の第１実施形態に係わる給湯機Ｓの例を示す構成図である。
【００２３】
＜給湯機Ｓの全体構成＞
図１に示すように、第１実施形態に係る給湯機Ｓは、温水を貯湯する貯湯タンク１と、貯湯タンク１に貯湯するための水を加熱する熱源とを備え、この給湯機Ｓへは、給水源（例えば、水道管２２）からの給水が配管７を経て供給される。具体的には、給湯機Ｓは、給水源から供給された低温水をヒートポンプユニット８で加熱し、加熱された温水を貯湯タンク１に貯溜するものである。即ち、給湯機Ｓは、貯湯タンク１を備えるタンクユニット５と、ヒートポンプユニット８とを備えて構成される。
【００２４】
また、給湯機Ｓは、水道管２２からの低温水を貯湯タンク１内の温水と熱交換させて加熱し給湯用の温水を生成する給湯熱交換器４を備える。この場合、貯湯タンク１は、低温水と熱交換させる熱媒体としての温水を貯蔵する貯蔵タンクとして機能する。また、給湯機Ｓは、浴槽２内から導出したふろ水を貯湯タンク１内の温水と熱交換させ加熱する追い焚き熱交換器２４を備える。さらに、給湯機Ｓは、湯張り，追い焚き，給湯等を行うために利用者が操作する風呂リモコン４５，台所リモコン４６等の操作部６０と、該操作部６０からの操作指令等に従って給湯機Ｓ全体を統括的に制御するコントローラ１６とを備える。
【００２５】
また、給湯機Ｓは、給湯端末に加熱された清水を供給する給湯回路と、浴槽から取出した浴槽水を貯湯タンク１に貯蔵される温水（この場合には、熱媒体として機能する）と追い焚き熱交換器によって熱交換させて浴槽に戻す追い焚き回路２Ｐとを備える。
【００２６】
給湯回路には、温水を一般給湯端末（蛇口やシャワー等）に供給する一般給湯回路２Ｘと、温水を浴槽に設けられる浴槽端末に供給する湯張り回路２Ｙとが含まれる。また、前記給湯回路に供給される清水の供給源としては、水道管２２や井戸水等の外部の給水源の他、清水を貯溜する貯湯タンク１が考えられる。
【００２７】
ここで、清水とは、利用者が直接接触し得る状態を未だ経ていない使用前の水を指すものであり、給水源からの水や貯湯タンク１に貯留されている水を含むものである一方、混合栓１９や浴槽２等に供給されたような汚れを含む使用後の水（特に、一度浴槽２に供給されたふろ水）とは区別されるものである。
【００２８】
なお、給水源から供給される清水を追い焚き熱交換器へ向けて供給する回路、及び、貯蔵タンクに貯蔵される清水を追い焚き熱交換器へ向けて供給する回路は、清水を浴槽に供給する清水回路としてそれぞれ特定することができる。
【００２９】
前記一般給湯回路２Ｘは、前記貯湯タンク１内の水の圧力（例えば、約２kg／cm2）よりも高い圧力（例えば、約６〜８kg／cm2）の清水を流通可能に構成されるものである。具体的には、前記一般給湯回路２Ｘは、減圧されていない水道水を前記清水として流通させるものである。ただし、一般給湯回路２Ｘは、これに限定されるものではなく、貯湯タンク１内の熱媒体（即ち、水）をポンプ等を用いて昇圧して供給するものであってもよい。また、前記一般給湯回路２Ｘは、前記追い焚き回路２Ｐよりも速い流速で清水を流通可能に構成される。具体的には、前記一般給湯回路２Ｘには、例えば約２ｍ／ｓで清水が流される一方、前記追い焚き回路２Ｐには、追い焚き時に約１.０〜１.５ｍ／ｓで浴槽水が流される。
【００３０】
具体的には、一般給湯回路２Ｘは、給水源から供給される清水を貯湯タンク１に貯蔵される温水（この場合には、熱媒体として機能する）と給湯熱交換器によって熱交換させて（即ち、加熱して）一般給湯端末に供給するものである。また、湯張り回路２Ｙは、貯湯タンク１の温水を浴槽端末に供給するものである。
【００３１】
以下、給湯機Ｓの各部の構成について詳細に説明する。
【００３２】
＜ヒートポンプユニット８＞
図１に示すヒートポンプユニット８は、外界の熱を、膨張させた低温の二酸化炭素等の冷媒で吸熱した後、圧縮させ高温とした冷媒と配管３４を流れる貯湯タンク１からの低温水とで熱交換を行い、低温水を加熱する装置である。ヒートポンプユニット８は、冷媒の膨張、圧縮を繰り返し、外界から吸熱し低温水を加熱するヒートポンプ（図示せず）と、配管３４を流れる貯湯タンク１の低温水を循環させる循環ポンプ（図示せず）とを備えている。
【００３３】
ヒートポンプは、冷媒を圧縮する圧縮機と、圧縮され高温になった冷媒と貯湯タンク１からの低温水との間で熱交換させ低温水を加熱するガスクーラ（図示省略）と、冷媒を膨張させ減圧する膨張弁と、減圧され温度低下した冷媒に外気の熱を吸熱する吸熱器とを有している。循環ポンプは、配管３２，３４を通して、貯湯タンク１の低温水を汲み上げ、ヒートポンプのガスクーラを通過させ加熱した後、加熱され高温になった温水を、配管３５を通して貯湯タンク１の上部に戻している。
【００３４】
＜貯湯タンク１＞
図１に示す貯湯タンク１には、水道管２２からの水道水が、配管７，配管３６ａ，配管２３ａ，減圧弁６、および配管２３ｂを通して、導入されるとともに、この貯湯タンク１内の水が、配管３２，三方弁３３、および配管３４を通して、ヒートポンプユニット８に導かれヒートポンプのガスクーラで加熱され温水となった後、配管３５を通して、貯湯タンク１の上部に導かれ貯湯タンク１内に貯溜されている。
【００３５】
貯湯タンク１内の温水の温度は、鉛直方向下方から上方にいくに従い高く、即ち、貯湯タンク１内の下部から上部にいくに従って、相対的に低，中，高の温度分布となっている。例えば、貯湯タンク１内の上部で約９０℃、中間部で約５０℃となっている。なお、貯湯タンク１内の鉛直方向の中間部における温水を、中温水と称する。
【００３６】
貯湯タンク１には、鉛直方向に沿って、貯留される温水の温度を検出する複数の温度センサ４７，４８，４９，５０，５１，５２が上部から下部に配置されており、これらの温度センサ４７，４８，４９，５０，５１，５２により検出された貯湯タンク１内の温水の温度を示す検出信号は、コントローラ１６に出力され、給湯機Ｓの制御に使用されている。
【００３７】
＜湯張り回路２Ｙ＞
図１及び図３に示す湯張り回路２Ｙは、貯湯タンク１に貯留される温水を浴槽２に供給し、浴槽２に湯張りするための回路である。この湯張り回路２Ｙは、貯湯タンク１上部の高温の温水を、貯湯タンク１上部の第１取出し部１０に接続される配管４１ａ，配管５４を通して、第一混合弁１４に導き、第一混合弁１４において、水道管２２から、配管７，配管３６ａ，配管２３ａ，減圧弁６，配管２３ｂを通ってきた水道水と混合し、第一混合弁１４の下流に配設され開制御された電磁弁２８を介して、配管２９ｃ，２９ｂ，２９ａを通る第１の経路と、配管２９ｂ，接続部３０，配管２５，ポンプ２７，流量調整弁（又は循環調整弁）３１，バイパス配管６３を通って、合流部６５で配管３に接続される第２の経路との２つの経路で浴槽２に湯張りする構成である。
【００３８】
ここで、配管２９ａは、浴槽２に設けられる水流通口２ｉに接続され、また、配管３は、浴槽２の水流通口２ｏに接続されており、これらの水流通口２ｉ，２ｏを介して、湯張りが行われる。即ち、この場合には、水流通口２ｉ，２ｏは、浴槽端末として機能する。
【００３９】
＜給湯熱交換器４＞
図２は、第１実施形態の給湯機Ｓの給湯運転を太線で示す回路図である。図２に示す給湯熱交換器４は、水道管２２，配管７を通して供給される水道水を、コントローラ１６に給湯要求があった場合に作動制御される給湯循環ポンプ１８により貯湯タンク１上部から導出される高温の温水と熱交換させて所定温度に加熱する機器である。加熱された水は、混合栓１９に供給されて給湯される。
【００４０】
なお、混合栓１９は、例えば、浴室において、洗い湯を供給するために用いられる。給湯時には、水道管２２から、配管７，３６ａ，３６ｂを通して給湯熱交換器４に導入された水道水は、給湯循環ポンプ１８によって貯湯タンク１上部の第１取出し部１０から配管４１ａ，４１ｂを通して給湯熱交換器４に導入される貯湯タンク１上部の高温の温水により加熱された後、配管３６ｃ，アキュムレータ３９，配管４０を通して、混合栓１９に温水として供給される。
【００４１】
一方、給湯熱交換器４において、水道水と熱交換を行い冷却され給湯熱交換器４から出た水は、配管４２，給湯循環ポンプ１８を通って貯湯タンク１に戻される。なお、給湯熱交換器４から出た水は、貯湯タンク１の下部に戻されるものであるが、貯湯タンク１の底よりも上方に戻されるものであってもよい。
【００４２】
＜給湯循環ポンプ１８＞
図１に示す給湯循環ポンプ１８は、コントローラ１６の図示しないインバータ回路を用いて、配管３６ｃの給湯温度センサ３７によって検出される給湯の温度が、操作部６０で設定された給湯温度となるように、回転速度が自在に制御（フィードバック制御）されている。
【００４３】
即ち、給湯温度センサ３７が検出する給湯の温度が、操作部６０で設定された給湯温度よりも低い場合、コントローラ１６は、貯湯タンク１の高温の温水を循環させる給湯循環ポンプ１８の回転速度を高めて水道水に付与する熱量を増加させ給湯温度を高める。一方、操作部６０で設定された給湯温度よりも給湯の温度が高い場合には、コントローラ１６は給湯循環ポンプ１８の回転速度を低めて水道水に付与する熱量を減少させ給湯温度を低めるように、給湯循環ポンプ１８が制御されている。
【００４４】
＜追い焚き熱交換器２４＞
図１に示す追い焚き熱交換器２４は、入口２４ｉ側に、浴槽２内のふろ水が導出される配管２９ａ，配管２５，ポンプ２７，流量調整弁３１，配管５８が接続されるとともに、出口２４ｏ側には、追い焚き熱交換器２４において貯湯タンク１上部の高温水と熱交換され加熱され追い焚きされたふろ水が浴槽２に戻る配管２６が接続されている。
【００４５】
＜追い焚き回路２Ｐ＞
図４の太線で示す追い焚き回路２Ｐは、浴槽２に張られたふろ水を追い焚きするための回路である。追い焚き時、浴槽２内のふろ水は、図４の矢印に示すように、浴槽２の水流通口２ｉから導出され、この水流通口２ｉに接続される配管２９ａ，接続部３０，配管２５，ポンプ２７，流量調整弁３１，配管５８，貯湯タンク１上部の高温の温水中に配置される追い焚き熱交換器２４，配管２６，配管３を通り、配管３に接続される水流通口２ｏを介して、浴槽２に戻されるように構成されている。
【００４６】
なお、浴槽２内の低温のふろ水は、追い焚き熱交換器２４において、貯湯タンク１の上部の高温の温水と間接的に熱交換され、効率的に短時間で追い焚きがなされるように構成されている。
【００４７】
ここで、追い焚きの温度は、利用者が風呂リモコン４５，台所リモコン４６等の操作部６０で設定する。温度センサ５６は、配管２９ａを通る追い焚き前の温水の温度を検出し、温度センサ５９は、追い焚き後の配管２６を通る温水の温度を検出し、それぞれの検出信号は、コントローラ１６に入力される。そして、コントローラ１６において、浴槽２内の温水の温度が、利用者の設定温度に至ったと温度センサ５６で検出されるまで、浴槽２内のふろ水を追い焚き熱交換器２４に循環させるポンプ２７を稼働制御し、追い焚きモードを継続する。そして、浴槽２内の温水の温度が、利用者の設定温度になった時点でポンプ２７の稼動を停止し、追い焚きモードを終了する。
【００４８】
＜操作部６０＞
図１に示す操作部６０は、利用者が、給湯機Ｓで湯張り，追い焚き，給湯等を行うために入力操作を行う機器であり、浴室に配置される風呂リモコン４５やキッチンに配置される台所リモコン４６等がある。
【００４９】
操作部６０は、浴槽２に湯張りするための湯張りモード，浴槽２内のふろ水を追い焚きするための追い焚きモード，混合栓１９からの給湯を行うための給湯モード等が選択でき、湯張り時の温水の温度，追い焚き時の温水の温度，給湯時の温水の温度等を設定できる構成である。この操作部６０は、コントローラ１６と有線または無線で接続されており、利用者による操作部６０への入力操作が、コントローラ１６に操作信号として入力されている。
【００５０】
＜コントローラ１６＞
コントローラ１６は、給湯機Ｓを電子制御する制御装置であり、操作部６０，温度センサ４８等の種々のセンサで検出した信号等に応じて制御を行うマイコン（Microcomputer：マイクロコンピュータ）と、操作部６０，種々のセンサ等で検出された検出信号等をマイコン３に適合した入力信号に変換する増幅回路，Ａ／Ｄ変換回路等の入力インターフェースと、マイコンからの制御信号の出力信号に応じて給湯循環ポンプ１８等のアクチュエータを駆動するための駆動回路，リレー駆動回路等の出力インターフェースとを備えて構成されている。
【００５１】
このコントローラ１６は、マイコンのＲＯＭ（Read Only Memory）に記憶されたプログラムに従って、給湯機Ｓの電磁弁２８，給湯ポンプ２７，循環ポンプ１８等の各種アクチュエータおよびヒートポンプユニット８等を制御し、湯張り，追い焚き，給湯等の各種のモードの制御を行うものである。
【００５２】
≪給湯機Ｓの配管システムの動作詳細≫
次に、給湯機Ｓの配管システムの動作詳細について説明する。
【００５３】
＜貯湯タンク１への温水の貯留＞
貯湯タンク１への水道水の供給は、図１の太線に沿った矢印に示すように、水道管２２内の水道水の例えば、約６〜８kg／cm2の水圧によって水道管２２内の水道水が配管７から減圧弁６に導かれ、減圧弁６において所定圧、例えば、約２kg／cm2に減圧された後、配管２３，逆止弁２０を通って、貯湯タンク１の下部に導入することにより行われる。なお、逆止弁２０は、貯湯タンク１からの水道水の逆流防止の役割を果たしている。
【００５４】
この貯湯タンク１に導入された水道水を、配管３２，三方弁３３，配管３４を通ってヒートポンプユニット８に導入して、ヒートポンプユニット８のガスクーラ（図示省略）で加熱し温水として、該温水を配管３５を通して貯湯タンク１の上部に導入し、貯湯タンク１内に貯留する。
【００５５】
＜混合栓１９からの給湯モード＞
次に、給湯機Ｓにおける混合栓１９からの給湯について、図２を用いて説明する。図２の破線で示すように、給湯機Ｓは、貯湯タンク１の高温の温水が給湯熱交換器４を循環する循環回路を備えており、混合栓１９からの給湯は、給湯熱交換器４を用いて、水道管２２からの水道水と貯湯タンク１からの高温の温水との熱交換により、水道水を加熱して行われる。
【００５６】
利用者が、例えば、風呂リモコン４５を使用し給湯モードを選択すると、給湯モード選択信号がコントローラ１６に入力され、コントローラ１６からの信号により給湯循環ポンプ１８が稼動し、貯湯タンク１上部の高温水を、図２の破線で示すように、第一取出口１０から配管４１ａ，４１ｂを通して給湯熱交換器４まで導出し、給湯熱交換器４で低温の水道水と熱交換を行い温度が下がった温水を、配管４２通して、貯湯タンク１の下部に返還する。なお、給湯熱交換器４の出口から貯湯タンク１の下部までの経路途中の逆止弁４４は、貯湯タンク１の自然循環防止の役割と給湯循環ポンプ１８を交換する際の貯湯タンク１の温水の逆流防止の役割を果たしている。
【００５７】
この給湯熱交換器４を用いて給湯を行うに際しては、水道管２２からの水道水をその水圧によって配管７，３６ａ，３６ｂを通して給湯熱交換器４に導入し、該給湯熱交換器４により加熱され温水となった水道水を、配管３６ｃ，給湯温度センサ３７，給湯流量センサ３８，アキュムレータ３９，配管４０を通して、混合栓１９の一方側に供給する。そして、混合栓１９において、利用者が、混合栓１９の他方側に接続した水道管２２からの水道水と供給された温水とを混合し、給湯の温度を調節する。
【００５８】
なお、アキュムレータ３９は、給湯流量が少ない場合、例えば、給湯流量が約２〜３リットル／分での混合栓１９の蛇口から熱湯が吹き出るオーバシュート現象の防止のため、熱湯をアキュムレータ３９内の残留水と混合し冷却して適温にすべく配設されている。
【００５９】
混合栓１９に、給湯熱交換器４から供給される温水の温度は、タンクユニット５内のコントローラ１６を用いて、タンク頂部温度センサ４７で検出した温水の温度，水道管２２から配管７を通って給湯熱交換器４に向かう水道水の水温温度センサ５３で検出した温度，給湯流量センサ３８で検出した流量等をもとに、台所リモコン４６，ふろリモコン４５等の操作部６０で設定された所定の給湯温度になるように、給湯循環ポンプ１８の回転速度を制御し、給湯熱交換器４において、水道水に熱を付与する１次側を流れる貯湯タンク１からの温水の流量を制御している。
【００６０】
この構成によれば、水道管２２からの水道水の高い水圧を利用できるため、例えば、３階でのシャワーも可能であり、減圧弁や負圧破壊弁も不要とすることができる。また、減圧弁６を介して減圧した水道水を貯湯タンク１に導入する密閉式の給湯システムとすることで、シスターンタンク，オーバーフロースイッチ，レベルスイッチ等の部品が不要となり、システムが簡易になるとともに、給水時の騒音も解消される。
【００６１】
＜浴槽２への湯張りモード＞
次に、給湯機Ｓにおける浴槽２への湯張りについて、図３を用いて説明する。なお、図３は、給湯機Ｓの湯張りの回路を太線で示す回路図である。利用者が、台所リモコン４６，ふろリモコン４５等の操作部６０で湯張りモードを選択した場合、給湯機Ｓにおいて浴槽２への湯張りが行われる。利用者によって操作部６０で湯張りモードが選択されると、操作部６０からコントローラ１６へ湯張りモード選択信号が入力され、コントローラ１６の制御によって、常閉型の電磁弁２８が開制御されるとともに、第一混合弁１４，流量調整弁３１がそれぞれ湯張りモードに制御される。
【００６２】
電磁弁２８が開制御されることによって、図３に示すように、水道管２２から供給される水道水が、減圧弁６で減圧され配管２３ｂを介して貯湯タンク１内に供給される水圧により、貯湯タンク１内の高温の温水が、貯湯タンク１の上部の第一取出し部１０から押し出される。そして、第一取出し部１０から押し出された温水が、図３の太線に示すように、配管１から分岐した配管５４を通して第一混合弁１４に導かれ、第一混合弁１４において、水道管２２に接続される配管７から配管３６ａ，配管２３ａ，減圧弁６，配管２３ｂを通った水道水と混合され、第一混合弁１４の下流に配設した電磁弁２８を介して、配管２９ｃ，２９ｂ，２９ａを通る第１の経路と、配管２９ｂ，配管２５，ポンプ２７，流量調整弁３１を通って配管３に続く第２経路との２つの経路を用いて、温水が浴槽２に供給され湯張りが行われる。
【００６３】
ここで、浴槽２へ供給する温水の温度に関してであるが、コントローラ１６によって、温度センサ５６で検知される温水の温度が、操作部６０で設定された所定のふろ温度になるように制御する。即ち、湯張りの温度が、利用者が風呂リモコン４５，台所リモコン４６等の操作部６０で設定した湯張りの設定温度になるように制御される。具体的には、温度センサ５６は、湯張り時の配管２９ａを通る温水の温度を検出する。該検出温度の検出信号は、コントローラ１６に入力され、コントローラ１６において、利用者の設定温度と温度センサ５６の検出温度とが比較される。そして、両者が等しくなるように、第一混合弁１４における貯湯タンク１からの温水と、配管２３ｃ等から供給される水道水との混合比が調整される。
【００６４】
また、浴槽２への温水の供給量に関してであるが、ふろ流量センサ５５で流量を検出し、この流量検出信号をコントローラ１６に入力し、コントローラ１６により、所定の設定温水量になるように演算して温水量を制御し、所定の温水量になった場合には電磁弁２８を閉制御し、温水の供給を停止する。
【００６５】
また、浴槽２の水位は、水位検知部（水位センサ）５７によって検知される。具体的には、水位検知部５７は、配管２５内の温水の圧力を検出し、検出された圧力に基づいて浴槽２の水位を検知するものである。具体的には、圧力の検出信号をコントローラ１６に入力し、コントローラ１６において、揚程等によって水位を演算する。ただし、水位検知部５７は、これに限定されるものではなく、浴槽２の水位を直接検知するものであっても良い。そして、所定の設定水位になるように電磁弁２８等を制御する。また、水位検知部５７は、水位が水流通口２ｉ以上である場合には、水位を所定の精度で検出可能である。ただし、水位が水流通口２ｉよりも低い位置の場合には、水位を検出することはできない。
【００６６】
なお、後述する自動洗浄においては、浴槽の水位が所定の水位より低下したことが自動洗浄を開始する条件の一つとなっていることから、本給湯機では比較の基準となる水位として基準水位が設定される。具体的には、段階的又は連続的に浴槽２に湯を貯めていき、最初に水位検知部５７が水の存在を検出した水位を基準水位として設定している。
【００６７】
このように、接続部３０より下流側の配管２５，流量調整弁３１を通り、追い焚き配管の出口側の配管２６の下流の配管３を通って浴槽２に湯張りをすることにより、配管２９ａからの湯張りと合わせて２本の配管で湯張りを行い、また、減圧弁６を介した一定水圧での湯張りとなる。そのため、湯張り時間を、例えば設定温度４２℃，２００リットルの湯張りで約１３分とすることが可能で、従来に比較し、約７分、湯張り時間を短縮できる。
【００６８】
＜追い焚きモード＞
次に、給湯機Ｓにおける浴槽２のふろ水の追い焚きについて、図４を用いて説明する。図４に示すように、浴槽２のふろ水の追い焚きは、追い焚き熱交換器２４を使用し行われる。追い焚き熱交換器２４は、入口２４ｉ側に、浴槽２からの配管２５，ポンプ２７，流量調整弁３１，配管５８が接続されるとともに、出口２４ｏ側には、浴槽２に戻る配管２６が接続されている。追い焚き熱交換器２４を使用する際には、コントローラ１６によってポンプ２７を駆動させ、配管２５から流量調整弁３１を通して、追い焚き熱交換器２４に浴槽水を導入し、該追い焚き熱交換器２４において、貯湯タンク１上部の高温水と、導入した浴槽水とで熱交換が行われる。
【００６９】
利用者が、台所リモコン４６，ふろリモコン４５等の操作部６０で追い焚きモードを選択した場合、給湯機Ｓにおいて浴槽２のふろ水の追い焚きが行われる。即ち、操作部６０で追い焚きモードが選択されると、操作部６０からコントローラ１６へ追い焚きモード選択信号が入力され、コントローラ１６の制御によって、浴槽２のふろ水を追い焚き熱交換器２４を介し循環させるためのポンプ２７が稼働されるとともに、流量調整弁３１が追い焚きモードに制御される。
【００７０】
コントローラ１６の指令により作動するポンプ２７により、浴槽２内のふろ水は、図４の矢印に示すように、浴槽２の水流通口２ｉから、配管２９ａ，接続部３０，配管２５，ポンプ２７，流量調整弁３１，配管５８を通って追い焚き熱交換器２４に導かれ、追い焚き熱交換器２４において貯湯タンク１上部の高温の温水との熱交換によって加熱された後、配管２６，配管３を通って浴槽２の水流通口２ｏを介し、浴槽２に戻される。
【００７１】
ここで、追い焚き熱交換器２４に導かれたふろ水は、追い焚き熱交換器２４において、貯湯タンク１上部の高温の温水と熱交換されるため、大きな熱量がふろ水に与えられ、効率的な追い焚きが可能となっている。
【００７２】
この場合、追い焚き熱交換器２４が貯湯タンク１上部に配設されているため、追い焚き開始時に、高温の温水が、浴槽２に供給されるおそれがある。これを防止するため、追い焚き開始時追焚き熱交換器２４から流出する加熱後の高温水の温度とふろ戻り温度を検知する温度センサ５６の温度検出信号とを用いて浴槽２へ戻される加熱後のふろ水の温度を予測し、この予測される温度が６０℃以下になるように流量調整弁３１の開度を制御している。具体的には、温度センサ５９の温度検出信号と温度センサ５６の温度検出信号とがコントローラ１６に入力され、コントローラ１６によって流量調整弁３１の開度が制御される。
【００７３】
この構成によれば、追い焚き開始時に、追い焚き熱交換器２４から流出する加熱後の高温水の温度を検出する温度センサ５９の温度検出信号と、ふろ戻り温度を検出する温度センサ５６の温度検出信号とに基づき、浴槽２へ戻される加熱後のふろ水の温度が所定温度以下になるように流量調整弁３１の開度を制御するので、追い焚き開始時に、追い焚き熱交換器２４に滞留している高温水が直接浴槽に吐出することを防止できる。
【００７４】
また、この追い焚き熱交換器２４に浴槽２内の湯を循環することにより、貯湯タンク１内の上部の高温の温水との間で間接的に熱交換を行い、浴槽２内の湯を追い焚き加熱するようにした循環回路を設けることにより、追い焚き時の追い焚き熱交換器２４からの放熱がなくなり、熱エネルギが無駄になることを防止できる。
【００７５】
＜追い焚き熱交換器洗浄モード＞
次に給湯機Ｓにおける追い焚き回路２Ｐの洗浄モードについて、図５を用いて説明する。洗浄モードでは、追い焚き回路２Ｐに、清水を通水し、配管や追い焚き熱交換器２４の汚れが洗い流される。
【００７６】
洗浄の動作について、図５を用いて説明する。まず、第一混合弁１４を水側が全開になるように制御する。これにより、追い焚き熱交換器２４には給水源からの水が主として供給され、貯湯タンク１内の高温湯は供給されない設定となる。
【００７７】
次に、電磁弁２８が開制御される。すると、給水源からの水が下流側へと流れ始める。即ち、配管２９ｃ、２９ｂ、配管２９ａへ清水が供給される。供給された水は、配管２９ａを洗浄しつつ、浴槽の水流通口２ｉから浴槽２へ流れ、図示しない浴槽２内の排水口より排水される。
【００７８】
また、ポンプ２７が駆動制御される。すると、配管２９ｃを流れた清水の一部が配管２５へ流入し、それより下流側の各配管を洗浄しつつ、浴槽の水流通口２ｏから浴槽２へ流れ、図示しない浴槽２内の排水口から排水される。
【００７９】
このとき、流量調整弁３１の配管５８側への流路が開となっていれば、供給された水は、配管５８，追い焚き熱交換器２４，配管２６，３を流れ、これら各配管を洗浄する。また、流量調整弁３１の配管６３側への流路が開となっていれば、供給された水は、配管６３，３を流れ、これら各配管を洗浄する。
【００８０】
このようにして、追い焚き回路２Ｐを構成する配管２９ａ，２５，５８，追い焚き熱交換器２４，配管２６，３，６３が清水により洗浄される。なお、電磁弁２８の開制御とポンプ２７の駆動制御とは、同時に行われるものであってもよく、電磁弁２８が開制御された後にポンプ２７が駆動制御されるものであってもよい。
【００８１】
ここで、流量調整弁３１の制御について説明する。追い焚き回路２Ｐを構成する配管２９ａ，２５，５８，２６，３、及び、追い焚き熱交換器２４を洗浄するには、流量調整弁３１の配管５８側を大きく開けるように制御すればよい。しかし、貯湯タンク１の上部に高温湯（例えば８０℃）がある場合、追い焚き熱交換器２４内部にも、同程度の高温湯があることが想定される。従って、洗浄開始時に、追い焚き熱交換器２４内部の高温湯が、配管２６，３を通り、浴槽の水流通口２ｏより、浴槽２へ排出されるおそれがある。
【００８２】
このため、洗浄時には、温度センサ５９，５６（特に、温度センサ５９）の検出温度に基づいて、浴槽２へ排出される水温が所定温度（例えば、６０℃）以下になるように流量調整弁３１の開度を制御し、配管２６を流れる高温水と配管６３を流れる水とを合流部６５で混合するようにしている。この制御は、追い焚きの場合と基本的に同様である。ただし、追い焚きの場合には、前記所定温度以下となるようにしつつもなるべくこの所定温度に近い温度となるように流量調整弁３１の開度を制御するのに対し、洗浄の場合には、前記所定温度以下であれば、何度でも良く、なるべく大きい比率で追い焚き熱交換器２４に水が流れるように制御する。
【００８３】
上記洗浄動作は、所定量の水を流した後に終了する。具体的には、流量センサ５５で検知された流量の積算値が所定量となった場合に終了する。ただし、洗浄動作を行う時間を予め設定しておき、この時間経過後に洗浄を終了するものであってもよい。
【００８４】
即ち、給湯機Ｓは、浴槽２から取出した浴槽水を貯蔵タンク内に配置される追い焚き熱交換器２４によって高温の熱媒体と熱交換させて浴槽に戻す追い焚き回路２Ｐと、清水を浴槽２に供給する清水回路とを備え、前記追い焚き回路２Ｐと清水回路とを接続して、清水回路を流れる清水を追い焚き熱交換器２４へ向けて供給して追い焚き熱交換器２４の洗浄を行うように構成される給湯機であって、前記追い焚き熱交換器２４を出た水に、この水よりも低温の水を混合可能に構成される。このため、追い焚き熱交換器２４の洗浄に使用された水が高温となっていても、低温の水を混合することにより温度低下させることができる。従って、追い焚き熱交換器の洗浄に使用された水を高温の状態で浴槽へ放出させることなく、追い焚き熱交換器の洗浄を行うことができる給湯機を実現できる。
【００８５】
また、前記追い焚き回路２Ｐは、前記追い焚き熱交換器２４の上流側で、前記追い焚き熱交換器２４を通る第一の経路と追い焚き熱交換器２４をバイパスする第二の経路とに分岐し且つ前記追い焚き熱交換器２４の下流側で合流するように設けられ、前記各経路を流れる流量比率を調節可能に構成される。従って、各経路を流れる流量比率を調節することにより、合流後の水の温度が高温にならないように（例えば、６０℃以下になるように）調節することができる。
【００８６】
また、前記追い焚き回路２Ｐは、前記追い焚き熱交換器２４を出た水の温度に応じて、各経路を流れる流量比率が調節される。従って、合流後の水（即ち、浴槽に戻される）の温度が高温にならないように調節することができる。
【００８７】
また、給湯機Ｓは、前記追い焚き熱交換器２４に水を導入するためのポンプ２７を備え、前記清水回路は、前記追い焚き熱交換器２４及びポンプ２７より上流側において追い焚き回路２Ｐと接続され、前記ポンプ２７は、追い焚き熱交換器２４の洗浄の際に、追い焚き回路２Ｐを流れる清水を追い焚き熱交換器２４に導入するように駆動される。従って、追い焚き熱交換器の洗浄の際に、清水を追い焚き熱交換器に効率的に導入することができる。なお、ポンプ２７が追い焚き熱交換器２４の下流側にある構成であっても構わない。
【００８８】
また、前記清水回路は、追い焚き回路２Ｐに合流するように接続され、前記追い焚き回路２Ｐに導入された清水は、清水回路と追い焚き回路２Ｐとの接続部３０より下流側へ向かう経路と前記接続部３０より上流側へ向かう経路とを経て浴槽２に流れ込み、追い焚き回路２Ｐを洗浄する。従って、追い焚き回路２Ｐ全体を洗浄することができる。
【００８９】
＜自動洗浄制御＞
ところで、給湯機Ｓは、上述のような洗浄動作を自動で行うように構成されている。次に、自動洗浄の開始制御について、図６を用いて説明する。
【００９０】
まず、利用者が、入浴後等に浴槽２内の排水栓を抜くと浴槽内の水位が低下する。これを、水位検知部５７で検知し、予め定めた規定水位以下になったことを検知した場合、入浴は終了したと判断する。このとき、利用者が、台所リモコン４６，ふろリモコン４５等の操作部６０で、予め自動洗浄モードを設定していた場合、自動洗浄が行われる。これにより、入浴等により追い焚き回路２Ｐ内に残っていた汚れを含む水は、浴槽の水流通口（２ｉ，２ｏ）より回路外へ排出される。なお、自動洗浄モードが予め設定されていない場合には、自動洗浄は行われない。
【００９１】
洗浄動作は、利用者が浴槽を使用（即ち、入浴）した上で、浴槽に張ったお湯を排水した後に行う必要がある。これを自動で行うために、本給湯機においては、湯張り動作を行ったことによって利用者が浴槽を使用するとみなし、湯張り動作が行われ、他の入浴に関係する動作（例えば、足し湯，差し湯，差し水，追い焚き等）も行われていない状態を浴槽の使用が終了した状態とみなし、その後、浴槽の水位が低下することによってお湯を排水されているとみなすこととしている。
【００９２】
まず、ステップＳ１１では、湯張り動作中であるか否かを判定している。湯張り動作中ではなくなった場合（ステップＳ１１においてＮｏ）、ステップＳ１２において、湯張り動作が正常に終了したかを検知する。湯張り動作が正常に終了しない場合としては、例えば、浴槽２内の排水栓が閉められておらず浴槽に湯が貯まらない場合等である。湯張り動作が正常に終了した場合（ステップＳ１２においてＹｅｓ）、ステップＳ１３において、湯張り以外の動作が行われているかを判断する。
【００９３】
湯張り以外の動作が行われていない場合（ステップＳ１３においてＮｏ）、水位検知部５７による水位検知が行われる。ここで、水位検知を正確に行うためには、浴槽２内の水面が波打っていない等、安定していることが好ましい。このため、湯張り動作や他の入浴に関係する動作が終了した後、所定時間経過後に水位の測定を行うこととしている。この所定時間は、水位安定待ち時間とされ、例えば３０秒に設定される。具体的には、ステップＳ１４により水位安定待ち時間が経過しているかが判断される。ただし、この段階で正確な水位検知が必要でない場合には、ステップＳ１４は不要である。
【００９４】
次に、ステップＳ１５において、浴槽２内の現在水位が基準水位より高いかどうかを判断する。
【００９５】
ところで、浴槽の水位は、お湯を排水した場合以外にも、利用者が浴槽の中から外に出ること等で水面が大きく上下することがあり、水位が一時的に基準水位より下がる状態が発生し得る。従って、例えば現在水位が基準水位と同程度であった場合、ステップＳ１５の判定を基に直ちに排水が行われたとみなすと、入浴中に洗浄動作が行われてしまうといった誤動作が生じるおそれがあり、利用者に不快感を与えることになるといった不都合が生じ得る。また、このような事態は、水位検知部５７の測定誤差の影響によって発生する場合もあり、実際に施工された配管の状態によっては、浴槽２の水位を必ずしも正確に検知することができないといった事情によっても発生し得る。
【００９６】
このため、ステップＳ１６において、水位が基準水位以下である状態を所定時間に亘って連続的に検知した場合に、お湯が排水されていると判断する。この所定時間は、水位連続監視時間とされ、例えば１０秒に設定される。そして、この水位連続監視時間内に複数回水位を検知し、その間に一度も現在水位が基準水位以上にならなかった場合に、ステップＳ１６においてＹｅｓと判定される。具体的には、水位は、水位連続監視時間内に０.５秒間隔で検知される。
【００９７】
ここで、水位検知部５７によってお湯が排水され始めたことが検知された（ステップＳ１６においてＹｅｓ）としても、直ちに洗浄動作を開始すると一度浴槽に出た水をポンプ２７によって追い焚き回路２Ｐや追い焚き熱交換器２４に引き込んでしまうおそれがある。このような事態は、例えば、洗浄動作によって浴槽に供給される水量が浴槽２の排水量よりも多く、浴槽２の水位が洗浄動作によって逆に高くなってしまう場合や、水位検知部５７の位置にあった水は排水されたものの、追い焚き回路２Ｐ内には依然として水が残っている場合等に発生する。
【００９８】
このため、ステップＳ１７において所定時間経過後に洗浄動作を開始することとしている。この所定時間は、洗浄動作開始遅延時間とされ、例えば５分に設定される。
【００９９】
即ち、給湯機Ｓは、浴槽２から取出した浴槽水を追い焚き熱交換器２４によって加熱して浴槽に戻す追い焚き回路２Ｐと、清水を浴槽２に供給する清水回路とを備え、前記追い焚き回路２Ｐと清水回路とを接続して、清水回路を流れる清水が追い焚き熱交換器２４に供給されるように構成されるとともに、浴槽水の水位を検知する水位検知部５７を備え、追い焚き運転又は浴槽２に対して清水を供給する運転が行われて浴槽水の水位が予め設定される基準水位以上となった後に、浴槽水の水位が前記基準水位より低い状態が所定の水位監視時間に亘って検知された場合、浴槽水の排水が行われたものとして、清水を追い焚き熱交換器２４に供給して洗浄する洗浄動作が行われる。
【０１００】
このため、浴槽水の水位が基準水位より低いことを所定の時間に亘って検知することにより、一時的に浴槽水の水位が基準水位より低くなる場合のような偶発的な要因を排除することができる。従って、追い焚き熱交換器２４の自動洗浄動作が誤って行われるのを好適に防止又は抑制することができる給湯機を実現できる。
【０１０１】
また、給湯機Ｓは、浴槽２から取出した浴槽水を追い焚き熱交換器２４によって加熱して浴槽に戻す追い焚き回路２Ｐと、清水を浴槽に供給する清水回路とを備え、前記追い焚き回路２Ｐと清水回路とを接続して、清水回路を流れる清水が追い焚き熱交換器２４に供給されるように構成されるとともに、浴槽水の水位を検知する水位検知部５７を備え、浴槽水の水位が予め設定される基準水位より低い状態が所定の水位監視時間に亘って検知された後、さらに所定の開始遅延時間が経過した場合に、清水を追い焚き回路２Ｐに供給して洗浄する洗浄動作が行われる。
【０１０２】
従って、浴槽水の水位が基準水位より低いことを所定の時間に亘って検知することにより、一時的に浴槽水の水位が基準水位より低くなる場合のような偶発的な要因を排除することができる。また、所定の開始遅延時間の間に浴槽水の排水が行われるため、浴槽水の水位はさらに低下し、追い焚き回路２Ｐ内に存在する浴槽水も排出される。従って、洗浄動作によって追い焚き回路２Ｐに供給された水が浴槽水と混ざって追い焚き回路２Ｐに逆流し、洗浄の効果が滅殺されてしまうといった事態を好適に防止することができる。
【０１０３】
また、給湯機Ｓは、前記所定の水位監視時間に浴槽水の水位の検知を複数回行い、全ての時点の検知において浴槽水の水位が前記基準水位より低い状態であった場合に、浴槽水の水位が前記基準水位より低下したと判断する。従って、誤作動が発生する可能性をより低減することができる。
【０１０４】
≪第２実施形態≫
次に、本発明の第２実施形態の給湯機２Ｓについて、図７を用いて説明する。なお、図７は、第２実施形態に係わる給湯機２Ｓの例を湯張り時の回路を太線で示した構成図である。以下では、第１実施形態に係る給湯機Ｓと同様な構成に関しては同一の符号を付して示し、詳細な説明は省略する。
【０１０５】
図７に示すように、第２実施形態の給湯機２Ｓは、浴槽２の湯張りにおいて、必ずしも、貯湯タンク１上部におけるほどの高温の温水を必要としないことから、貯湯タンク１の中間部に、第二取出し部１２を設けるとともに、この第二取出し部１２に接続した配管１３を通して貯湯タンク１内の中温水を新たに設けた第二混合弁１１に導き、この第二混合弁１１において、貯湯タンク１上部から導かれる高温の温水と混合し、浴槽２の湯張りを行うようにした構成である。
【０１０６】
給湯機２Ｓにおける湯張り回路２Ｒは、貯湯タンク１の上部の高温の温水を、貯湯タンク１上部の第一取出し部１０に接続される配管４１ａ，配管９を通して第二混合弁１１に導く。そして、第二混合弁１１において、貯湯タンク１の上部からの高温の温水と、貯湯タンク１のその容積の鉛直方向の中間部の第二取出し部１２から配管１３を通った中温水を混合し、この混合した温水を更に第一混合弁１４において、給水用の配管７から配管３６ａ，配管２３ａ，減圧弁６，配管２３ｃを通った水道水と混合し、第一混合弁１４の下流に配設された電磁弁２８を開いて、配管２９ｃ，２９ｂ，配管２９ａを通る第１の経路と、配管２９ｃ，配管２５，ポンプ２７，流量調整弁３１を通り配管３を通る第２の経路との２つの経路で浴槽２に湯張りを行う。
【０１０７】
上記構成によれば、貯湯タンク１のその容積の鉛直方向の中間部に、貯湯タンク１内の中間温度の中間水を導出し給湯する第二取出し部１２を設けることにより、例えば、貯湯タンク１上部におけるほどの高温水を必ずしも必要としない浴槽２の湯張りにおいて、中間温度の温水を積極的に利用することで、第一混合弁１４での配管２３ｃからの水道水の混合量を低減して熱エネルギが無駄になることを抑制でき、給湯熱交換器４に必要な高温水を効率的に使用することができる。このように、中間温度の中間水を積極的に利用するにより、給湯熱交換器４や追い焚き熱交換器２４に必要な高温水を効率的に使用することができる。
【０１０８】
また、本第２実施形態においても、接続部３０より下流側の配管２５，流量調整弁３１を通って追い焚き配管の出口側の配管２６の下流の配管３を通って浴槽２に湯張りを行うことにより２本の配管で湯張りし、また減圧弁６を介した一定水圧で湯張りを行うため、湯張り時間を短縮化できる。
【０１０９】
また、貯湯タンク１の頂部温度センサ４７で検出される温水の温度の検出信号と、貯湯タンク１のその容積の鉛直方向の中間部に配置される温度センサ４９で検出される温水の温度の検出信号とをコントローラ１６に入力し、コントローラ１６において、これら２つの温度等から第二混合弁１１から流出するお湯の温度を予測し、第二混合弁１１の弁開度を決定し制御している。なお、貯湯タンク１のその容積の鉛直方向の中間部としては、貯湯タンク１の容積の上方より約２／５から３／５の位置が好適である。これにより、第二混合弁１１の下流の混合温度を検知する部材が削除でき、システムが容易になるとともに、生産コストの低減が図れる。
【０１１０】
また、第２実施形態に係る給湯機においても、第一実施形態と同様の洗浄動作を実施することができる。さらに、第２実施形態に係る給湯機では、中温水を用いた洗浄動作を行うことができる。
【０１１１】
次に、図７を用いて、中温水を用いた洗浄動作について説明する。中温水を用いた洗浄動作では、清水としての中温水を貯湯タンク１の第二取出し部１２から取出し、配管１３，第二混合弁１１，配管１５，第一混合弁１４を経由する経路で水を流す。第一混合弁１４より下流側の流路は第一実施形態と同様である。また、第二混合弁１１は配管１３側が全開となっている。
【０１１２】
ところで、中温水は、浴槽２へ直接排出されるのが好ましくない高い温度となっている場合もある。そのような場合には、貯湯タンク１から取出した中温水を第一混合弁１４において給水源からの低温水と混ぜることにより温度を低下させている。
【０１１３】
具体的には、中温水の温度としては、第二取出し部１２と同程度の高さ位置に配置された貯湯タンク１の温度センサ４９の温度を利用する。ただし、第二取出し部１２や配管１３等に温度センサを配置することにより、直接中温水の温度を検知するものであってもよい。また、混合した水の温度は、温度センサ５６により検知している。第一混合弁１４は、温度センサ４９で検知される中温水の温度と、温度センサ５３で検知される低温水の温度と、温度センサ５６で検知される混合された水の温度が所定温度（例えば、６０℃）以下になるように制御される。
【０１１４】
なお、第１実施形態、第２実施形態においては、追い焚きに用いる配管を使用して湯張り時間を短縮する場合を例示して説明したが、複数の配管であれば、これら以外の配管を使用して湯張りすることも可能である。また、浴槽２に湯張りする配管は、追い焚きに用いる２本の配管の場合を例示したが、複数であれば、その本数は限定されない。
【０１１５】
≪第３実施形態≫
次に、本発明の第３実施形態の給湯機３Ｓについて、図９を用いて説明する。以下では、第１実施形態に係る給湯機Ｓと同様な構成に関しては同一の符号を付して示し、詳細な説明は省略する。第３実施形態に係る給湯機３Ｓは、第１実施形態に係る給湯機Ｓと同様に、コントローラ（図示せず）が、操作部（図示せず）からの操作指令等に従って全体を制御するものである。
【０１１６】
給湯機３Ｓは、第１実施形態及び第２実施形態と異なり、追い焚き熱交換器１２４が貯湯タンク１０１の外部に配置されている。また、貯湯タンク１０１には、シスターンタンクＣが備えられている。この給湯機３Ｓは、水道管２２から供給される高圧水の水圧を下げることなく給湯熱交換器１０４によって熱交換して一般給湯端末である混合栓１９に供給されるいわゆる直圧式の給湯機である。
【０１１７】
なお、配管１２５には、第１実施形態に係るポンプ２７と同等の機能を有するポンプ１２７が設けられている。また、配管１３６ｃには、第１実施形態に係る給湯流量センサ３８と同等の機能を有する給湯流量センサ１３８が設けられている。さらに、配管１２９ｂには、第１実施形態に係る水位センサ５７と同等の機能を有する水位センサ１５７が設けられており、配管１２９ｃには、第１実施形態に係る電磁弁２８と同等の機能を有する電磁弁１２８が設けられている。また、配管１２９ｅは、給湯熱交換器１０４において、浴槽水と熱交換を行い冷却され給湯熱交換器１０４から出た水を貯湯タンク１０１に戻す配管である。
【０１１８】
＜追い焚き熱交換器洗浄モード＞
次に、給湯機３Ｓにおける追い焚き熱交換器２４の洗浄について説明する。洗浄の際には、第一混合弁１１４が配管１２９ｄ側を全開とされ、切換弁１１７が配管１２９ｃ側を全開とされ、電磁弁１２８が開制御され、ポンプ２７が駆動される。すると、シスターンタンクＣから配管１２３ｃ，配管１２９ｄ，配管１２９ｃ，配管１２５，追い焚き熱交換器１２４，配管１０３ａ，配管１０３ｂを通る第１の経路と、配管１２９ｂ，配管１２９ａを通る第２の経路とを清水が流れ、追い焚き回路２Ｐが洗浄される。また、併せて配管１６７も洗浄される。なお、この場合においても、清水は、シスターンタンクＣからではなく、貯湯タンク１０１から供給されるものであってもよい。即ち、給湯機３Ｓにおける貯蔵タンクは、熱媒体としての温水を貯蔵する貯湯タンク１０１及びシスターンタンクＣによって構成される。
【０１１９】
また、給湯機３Ｓは、低温水を用いて洗浄を行うだけでなく、中温水を用いて洗浄を行うものであってもよい。この場合には、中温水の取出しに関し、第二実施形態と同様である。
【０１２０】
＜自動洗浄制御＞
さらに、給湯機３Ｓにおいても、自動洗浄の開始判定が水位検知部１５７を用いて行われ、そのフローは第１実施形態と同様である。
【０１２１】
なお、本発明は、上記各実施形態に記載した構成に限定されるものではなく、その趣旨を逸脱しない範囲において適宜その構成を変更することができる。
【０１２２】
例えば、熱媒体としての湯を加熱する熱源としては、ヒートポンプユニット以外にも、貯蔵タンク内に配置されたヒータ等が考えられる。
【符号の説明】
【０１２３】
１  貯湯タンク
２  浴槽
２ｉ，２ｏ  水流通口
２Ｐ  追い焚き回路
２Ｒ  湯張り回路
２Ｘ  一般給湯回路
２Ｙ  湯張り回路
４  給湯熱交換器
６  減圧弁（湯張り回路）
８  ヒートポンプユニット（ヒートポンプ部）
１０  第一取出し部
１１  第二混合弁
１２  第二取出し部
１４  第一混合弁
１８  給湯循環ポンプ
１９  混合栓
２２  水道管
２４  追い焚き熱交換器
２７  ポンプ
２８  電磁弁
３０  接続部
３１  流量調整弁
３７  給湯温度センサ
３８  給湯流量センサ
３９  アキュムレータ
４７  タンク頂部温度センサ（第１温度センサ）
４９  温度センサ（第２温度センサ）
５３  水温温度センサ
５５  流量センサ
５６  温度センサ（第４温度センサ）
５７  水位検知部
５８  配管
５９  温度センサ（第３温度センサ）
Ｓ  給湯機
【図１】
2010190478.tif 000003
【図２】
2010190478.tif 000004
【図３】
2010190478.tif 000005
【図４】
2010190478.tif 000006
【図５】
2010190478.tif 000007
【図６】
2010190478.tif 000008
【図７】
2010190478.tif 000009
【図８】
2010190478.tif 000010
【図９】
2010190478.tif 000011